【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
被写体を撮影することにより生成された医用画像データに画像処理を施す医用画像処理方法であって、
画像処理実行中の医用画像データを表示画面に画像表示し、
ポインティングデバイスに設けられた第１のボタンの押下を検出すると共に、画像上に表示されているポインタを移動させるためのポインティングデバイスの水平方向移動量と垂直方向移動量とを検出し、
該第１のボタンの押下中に検出されたポインティングデバイスの水平方向移動量と垂直方向移動量とに応じて画像処理の対象となる領域を選択し、
ポインティングデバイスに設けられた第２のボタンの押下を検出すると共に、画像上に表示されているポインタを移動させるためのポインティングデバイスの水平方向移動量と垂直方向移動量とを検出し、
該第２のボタンの押下中に検出されたポインティングデバイスの水平方向移動量と垂直方向移動量とに応じた複数のパラメータに基づいて前記画像処理の対象として選択された領域の画像データに画像処理として周波数処理を施す、
ことを特徴とする医用画像処理方法。
【請求項２】
ポインティングデバイスに設けられた第３のボタンの押下を検出すると共に、画像上に表示されているポインタを移動させるためのポインティングデバイスの水平方向移動量と垂直方向移動量とを検出し、
該第３のボタンの押下中に検出されたポインティングデバイスの水平方向移動量と垂直方向移動量とに応じた複数のパラメータに基づいて前記画像処理の対象として選択された領域の画像データに画像処理として階調処理を施す、
ことを特徴とする請求項１記載の医用画像処理方法。
【請求項３】
被写体を撮影することにより生成された医用画像データに画像処理を施す医用画像処理装置であって、
画像処理実行中の医用画像データを表示画面に画像表示する画像表示手段と、
ポインティングデバイスに設けられた第１のボタン及び第２のボタンの押下を検出すると共に、画像上に表示されているポインタを移動させるためのポインティングデバイスの水平方向移動量と垂直方向移動量とを検出する操作入力部と、
該第１のボタンの押下が検出された場合に、該第１のボタンの押下中に検出されたポインティングデバイスの水平方向移動量と垂直方向移動量とに応じて画像処理の対象となる領域を選択し、前記第２のボタンの押下が検出された場合に、該第２のボタンの押下中に検出されたポインティングデバイスの水平方向移動量と垂直方向移動量とに応じた複数のパラメータに基づいて前記画像処理の対象として選択された領域の画像データに画像処理として周波数処理を施す画像処理部と、
を有することを特徴とする医用画像処理装置。
【請求項４】
前記操作入力部は、前記ポインティングデバイスに設けられた第３のボタンの押下を検出し、
前記画像処理部は、前記第３のボタンの押下が検出された場合に、該第３のボタンの押下中に検出されたポインティングデバイスの水平方向移動量と垂直方向移動量とに応じた複数のパラメータに基づいて前記画像処理の対象として選択された領域の画像データに画像処理として階調処理を施す、
ことを特徴とする請求項３記載の医用画像処理装置。
【請求項５】
前記画像処理部における周波数処理は周波数強調処理であり、
前記複数のパラメータは、周波数特性の指定と強調度の指定である、
ことを特徴とする請求項３または請求項４に記載の医用画像処理装置。
【請求項６】
前記画像処理部における周波数処理はノイズ抑制処理であり、
前記複数のパラメータは、周波数特性の指定と抑制度の指定である、
ことを特徴とする請求項３または請求項４に記載の医用画像処理装置。
【請求項７】
前記画像処理部は、更に他の所定のボタンの押下が検出された場合に、該ボタンの押下中に検出されたポインティングデバイスの水平方向移動量と垂直方向移動量とに応じた複数のパラメータとして周波数特性と補正係数とに基づいて、前記画像データに画像処理としてイコライゼーション処理を施す、
ことを特徴とする請求項３または請求項４に記載の医用画像処理装置。
【請求項８】
被写体を撮影することにより生成された医用画像データに画像処理を施す医用画像処理プログラムであって、
画像処理実行中の医用画像データを表示画面に画像表示する画像表示ルーチンと、
ポインティングデバイスに設けられた第１のボタン及び第２のボタンの押下を検出すると共に、画像上に表示されているポインタを移動させるためのポインティングデバイスの水平方向移動量と垂直方向移動量とを検出する操作入力検出ルーチンと、
前記第１のボタンの押下が検出された場合に、該第１のボタンの押下中に検出されたポインティングデバイスの水平方向移動量と垂直方向移動量とに応じて画像処理の対象となる領域を選択し、前記第２のボタンの押下が検出された場合に、該第２のボタンの押下中に検出されたポインティングデバイスの水平方向移動量と垂直方向移動量とに応じた複数のパラメータに基づいて前記画像処理の対象として選択された領域の画像データに画像処理として周波数処理を施す画像処理ルーチンと、
を有することを特徴とする医用画像処理プログラム。
【請求項９】
前記操作入力検出ルーチンは、前記ポインティングデバイスに設けられた第３のボタンの押下を検出し、
前記画像処理ルーチンは、前記第３のボタンの押下が検出された場合に、該第３のボタンの押下中に検出されたポインティングデバイスの水平方向移動量と垂直方向移動量とに応じた複数のパラメータに基づいて前記画像処理の対象として選択された領域の画像データに画像処理として周波数処理を施す、
ことを特徴とする請求項８記載の医用画像処理プログラム。
【手続補正２】
【補正対象書類名】明細書
【補正対象項目名】００１７
【補正方法】変更
【補正の内容】
【００１７】
すなわち、前記した課題を解決は、以下に列記する発明により解決される。
（１）請求項１記載の発明は、被写体を撮影することにより生成された医用画像データに画像処理を施す医用画像処理方法であって、画像処理実行中の医用画像データを表示画面に画像表示し、ポインティングデバイスに設けられた第１のボタンの押下を検出すると共に、画像上に表示されているポインタを移動させるためのポインティングデバイスの水平方向移動量と垂直方向移動量とを検出し、該第１のボタンの押下中に検出されたポインティングデバイスの水平方向移動量と垂直方向移動量とに応じて画像処理の対象となる領域を選択し、ポインティングデバイスに設けられた第２のボタンの押下を検出すると共に、画像上に表示されているポインタを移動させるためのポインティングデバイスの水平方向移動量と垂直方向移動量とを検出し、該第２のボタンの押下中に検出されたポインティングデバイスの水平方向移動量と垂直方向移動量とに応じた複数のパラメータに基づいて前記画像処理の対象として選択された領域の画像データに画像処理として周波数処理を施す、ことを特徴とする医用画像処理方法である。
【手続補正３】
【補正対象書類名】明細書
【補正対象項目名】００１９
【補正方法】変更
【補正の内容】
【００１９】
（２）請求項２記載の発明は、ポインティングデバイスに設けられた第３のボタンの押下を検出すると共に、画像上に表示されているポインタを移動させるためのポインティングデバイスの水平方向移動量と垂直方向移動量とを検出し、該第３のボタンの押下中に検出されたポインティングデバイスの水平方向移動量と垂直方向移動量とに応じた複数のパラメータに基づいて前記画像処理の対象として選択された領域の画像データに画像処理として階調処理を施す、ことを特徴とする請求項１記載の医用画像処理方法である。
【手続補正４】
【補正対象書類名】明細書
【補正対象項目名】００２０
【補正方法】変更
【補正の内容】
【００２０】
この発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータに基づいて、画像データに画像処理として周波数処理を施し、他の所定のボタンの押下検出中に検出されたポインティングデバイスの水平方向移動量と垂直方向移動量とに応じた複数のパラメータに基づいて前記画像処理の対象として選択された領域の画像データに画像処理として階調処理を施す。
【手続補正５】
【補正対象書類名】明細書
【補正対象項目名】００２１
【補正方法】変更
【補正の内容】
【００２１】
（３）請求項３記載の発明は、被写体を撮影することにより生成された医用画像データに画像処理を施す医用画像処理装置であって、画像処理実行中の医用画像データを表示画面に画像表示する画像表示手段と、ポインティングデバイスに設けられた第１のボタン及び第２のボタンの押下を検出すると共に、画像上に表示されているポインタを移動させるためのポインティングデバイスの水平方向移動量と垂直方向移動量とを検出する操作入力部と、該第１のボタンの押下が検出された場合に、該第１のボタンの押下中に検出されたポインティングデバイスの水平方向移動量と垂直方向移動量とに応じて画像処理の対象となる領域を選択し、前記第２のボタンの押下が検出された場合に、該第２のボタンの押下中に検出されたポインティングデバイスの水平方向移動量と垂直方向移動量とに応じた複数のパラメータに基づいて前記画像処理の対象として選択された領域の画像データに画像処理として周波数処理を施す画像処理部と、を有することを特徴とする医用画像処理装置である。
【手続補正６】
【補正対象書類名】明細書
【補正対象項目名】００２３
【補正方法】変更
【補正の内容】
【００２３】
（４）請求項４記載の発明は、前記操作入力部は、前記ポインティングデバイスに設けられた第３のボタンの押下を検出し、前記画像処理部は、前記第３のボタンの押下が検出された場合に、該第３のボタンの押下中に検出されたポインティングデバイスの水平方向移動量と垂直方向移動量とに応じた複数のパラメータに基づいて前記画像処理の対象として選択された領域の画像データに画像処理として階調処理を施す、ことを特徴とする請求項３記載の医用画像処理装置である。
【手続補正７】
【補正対象書類名】明細書
【補正対象項目名】００２４
【補正方法】変更
【補正の内容】
【００２４】
この発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータに基づいて、画像データに画像処理として階調処理を施す。
【手続補正８】
【補正対象書類名】明細書
【補正対象項目名】００３１
【補正方法】変更
【補正の内容】
【００３１】
（８）請求項８記載の発明は、被写体を撮影することにより生成された医用画像データに画像処理を施す医用画像処理プログラムであって、画像処理実行中の医用画像データを表示画面に画像表示する画像表示ルーチンと、ポインティングデバイスに設けられた第１のボタン及び第２のボタンの押下を検出すると共に、画像上に表示されているポインタを移動させるためのポインティングデバイスの水平方向移動量と垂直方向移動量とを検出する操作入力検出ルーチンと、前記第１のボタンの押下が検出された場合に、該第１のボタンの押下中に検出されたポインティングデバイスの水平方向移動量と垂直方向移動量とに応じて画像処理の対象となる領域を選択し、前記第２のボタンの押下が検出された場合に、該第２のボタンの押下中に検出されたポインティングデバイスの水平方向移動量と垂直方向移動量とに応じた複数のパラメータに基づいて前記画像処理の対象として選択された領域の画像データに画像処理として周波数処理を施す画像処理ルーチンと、を有することを特徴とする医用画像処理プログラムである。
【手続補正９】
【補正対象書類名】明細書
【補正対象項目名】００３３
【補正方法】変更
【補正の内容】
【００３３】
（９）請求項９記載の発明は、前記操作入力検出ルーチンは、前記ポインティングデバイスに設けられた第３のボタンの押下を検出し、前記画像処理ルーチンは、前記第３のボタンの押下が検出された場合に、該第３のボタンの押下中に検出されたポインティングデバイスの水平方向移動量と垂直方向移動量とに応じた複数のパラメータに基づいて前記画像処理の対象として選択された領域の画像データに画像処理として周波数処理を施す、ことを特徴とする請求項８記載の医用画像処理プログラムである。